【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
所定の帯域幅に限られた復元スピーチ信号について知覚されるラウドネスおよびシャープネスを改善する方法であって、
前記スピーチ信号を用意するステップ（Ｓ１０）と、
少なくとも前記所定の帯域幅のうちの第１の帯域部分にもとづく第１の信号部分と、前記所定の帯域幅のうちの第２の帯域部分にもとづく第２の信号部分とに、前記スピーチ信号を分割するステップ（Ｓ２０）と、
前記第１の帯域部分の範囲内の少なくとも所定の周波数または周波数区間を強調するように、前記第１の信号部分を調整するステップ（Ｓ３０）と、
少なくとも前記第１の信号部分にもとづいて前記第２の信号部分を復元するステップ（Ｓ４０）と、
前記調整した第１の信号部分と前記復元した第２の信号部分とを組み合わせて（Ｓ５０）、全体として知覚されるラウドネスおよびシャープネスが改善された復元スピーチ信号を生成するステップと
を含む方法。
【請求項２】
前記調整するステップ（Ｓ３０）が、
前記第１の信号部分をフィルタ処理するステップを含み、前記第１の帯域部分の選択された周波数に向かって第１の信号部分のエネルギの少なくとも一部を分配すると同時に、前記第１の帯域部分の選択された高周波数区間に向かって第１の信号部分のエネルギの少なくとも別の一部を分配する、請求項１に記載の方法。
【請求項３】
前記フィルタ処理するステップ（Ｓ３０）が以下のフィルタ関数
Ｈ（ｚ）＝α・ｚ−２＋β・ｚ−１−γ＋β・ｚ＋１＋α・ｚ＋２
に従って実行され、
ここで好ましい係数がα＝０．１、β＝０、γ＝０．８５である、請求項２に記載の方法。
【請求項４】
前記フィルタ処理するステップ（Ｓ３０）が以下のフィルタ関数
Ｈ（ｚ）＝α・ｚ−１−β＋α・ｚ＋１
に従って実行され、
ここで好ましい係数がα＝０．０６およびβ＝０．６６である、請求項２に記載の方法。
【請求項５】
前記フィルタ処理するステップ（Ｓ３０）が以下のフィルタ関数
Ｈ（ｚ）＝１−μ・ｚ−１
に従って実行され、
ここで好ましい係数がμ＝０．２である、請求項２に記載の方法。
【請求項６】
自然の外耳−中耳の反応にもとづいて、前記第１の帯域部分の範囲内の前記周波数を選択するさらなるステップを含む、請求項２に記載の方法。
【請求項７】
前記第１の帯域部分が、前記用意されるスピーチ信号の低周波数帯（ＬＢ）に相当し、前記第２の帯域部分が、前記用意されるスピーチ信号の高周波数帯（ＨＢ）に相当する、請求項１〜６のいずれか１項に記載の方法。
【請求項８】
前記調整するステップ（Ｓ３０）が、低周波数帯（ＬＢ）をプレフィルタ処理するステップにもとづいており、前記第２の信号部分を復元するステップ（Ｓ４０）が、帯域拡張（ＢＷＥ）または低域通過フィルタ処理にもとづく、請求項７に記載の方法。
【請求項９】
所定の帯域幅に限られた復元スピーチ信号について知覚されるラウドネスおよびシャープネスを改善するためのシステムであって、
前記スピーチ信号を生成する手段（１０）と、
少なくとも前記所定の帯域幅のうちの第１の帯域部分にもとづく第１の信号部分と、前記所定の帯域幅のうちの第２の帯域部分にもとづく第２の信号部分とに、前記スピーチ信号を分割する手段（２０）と、
前記第１の帯域部分の範囲内の少なくとも所定の周波数または周波数区間を強調するように、前記第１の信号部分を調整する手段（３０）と、
少なくとも前記第１の信号部分にもとづいて前記第２の信号部分を復元する手段（４０）と、
前記調整した第１の信号部分と前記復元した第２の信号部分とを組み合わせ、全体として知覚されるラウドネスおよびシャープネスが改善された復元スピーチ信号を生成する手段（５０）と
を備えるシステム。
【請求項１０】
前記手段（３０）が、プレフィルタ処理によって前記第１の信号部分を調整するように構成され、前記第１の信号部分が、前記スピーチ信号の低周波数帯（ＬＢ）に相当し、前記手段（４０）が、帯域拡張（ＢＷＥ）または低域通過フィルタ処理にもとづいて、前記スピーチ信号の高周波数帯（ＨＢ）を復元する、請求項９に記載のシステム。
【請求項１１】
通信システムにおいて所定の帯域幅に限られたスピーチ信号を処理するためのエンコーダ装置（１）であって、
前記スピーチ信号を生成する手段（１０）と、
少なくとも前記所定の帯域幅のうちの第１の帯域部分にもとづく第１の信号部分と、前記所定の帯域幅のうちの第２の帯域部分にもとづく第２の信号部分とに、前記スピーチ信号を分割する手段（２０）と、
前記第１の帯域部分の範囲内の少なくとも所定の周波数または周波数区間を強調することにより、前記スピーチ信号の知覚されるラウドネスおよびシャープネスを強化するように、前記第１の信号部分を調整する手段（３０）と、
少なくとも前記調整した第１の信号部分を他のノードへ送信する手段（３４）と
を備えるエンコーダ装置（１）。
【請求項１２】
前記手段（３０）が、スピーチ信号の低周波数帯（ＬＢ）をプレフィルタ処理する、請求項１１に記載のエンコーダ装置（１）。
【請求項１３】
通信システムにおいて所定の帯域幅に限られたスピーチ信号を処理するためのデコーダ装置（２）であって、
少なくとも所定の帯域幅のうちの第１の帯域部分にもとづく第１の信号部分と、前記所定の帯域幅のうちの第２の帯域部分にもとづく第２の信号部分とに、生成されたスピーチ信号を分割することと、前記第１の帯域部分の範囲内の少なくとも所定の周波数または周波数区間を強調するように、前記第１の信号部分を調整することとによって得られた調整済みの第１の信号部分を受信する手段（３５）と、
少なくとも前記受信される情報および前記受信される調整済みの第１の信号部分にもとづいて、前記第２の信号部分を復元する手段（４０）と、
前記受信される調整済みの第１の信号部分と前記復元される第２の信号部分とを組み合わせて、全体として知覚されるラウドネスおよびシャープネスが改善された復元スピーチ信号を生成する手段（５０）と
を備えるデコーダ装置（２）。
【請求項１４】
前記調整済みの第１の信号部分が、プレフィルタ処理された低周波数帯（ＬＢ）の信号部分である、請求項１３に記載のデコーダ装置（２）。
【請求項１５】
通信システムにおいて所定の帯域幅に限られたスピーチ信号を処理するためのデコーダ装置（１）であって、
少なくとも前記所定の帯域幅のうちの第１の帯域部分にもとづく第１の信号部分と、前記所定の帯域幅のうちの第２の帯域部分にもとづく第２の信号部分とに、生成されたスピーチ信号を分割することによって得られる第１の信号部分を受信する手段（２５）と、
前記第１の帯域部分の範囲内の少なくとも所定の周波数または周波数区間を強調するように、前記受信される第１の信号部分を調整する手段（３０）と、
少なくとも前記第１の信号部分にもとづいて前記第２の信号部分を復元する手段（４０）と、
前記調整済みの第１の信号部分と前記復元される第２の信号部分とを組み合わせ、全体として知覚されるラウドネスおよびシャープネスが改善された復元スピーチ信号を生成する手段（５０）と
を備えるデコーダ装置（１）。
【請求項１６】
通信システムの１つのノードのエンコーダ装置において所定の帯域幅に限られたスピーチ信号を処理する方法であって、
前記スピーチ信号を生成するステップ（Ｓ１０）と、
少なくとも前記所定の帯域幅のうちの第１の帯域部分にもとづく第１の信号部分と、前記所定の帯域幅のうちの第２の帯域部分にもとづく第２の信号部分とに、前記スピーチ信号を分割するステップ（Ｓ２０）と、
前記第１の帯域部分の範囲内の少なくとも所定の周波数または周波数区間を強調することにより、前記スピーチ信号の知覚されるラウドネスおよびシャープネスを強化するように、前記第１の信号部分を調整するステップ（Ｓ３０）と、
前記調整した第１の信号部分を他のノードへ送信するステップ（Ｓ３４）と
を含む方法。
【請求項１７】
通信システムにおいて所定の帯域幅に限られたスピーチ信号を調整するためのフィルタ装置（３０）であって、
前記フィルタ装置が、前記第１の帯域部分の範囲内の少なくとも所定の周波数または周波数区間を強調することにより、前記スピーチ信号の知覚されるラウドネスおよびシャープネスを強化するように、スピーチ信号の前記所定の周波数帯のうちの第１の帯域部分にもとづく前記スピーチ信号の生成された第１の信号部分を調整するように構成され、および
前記フィルタ装置が、前記第１の信号部分をフィルタ処理することによって、前記第１の帯域部分の選択された周波数に向かって第１の信号部分のエネルギの一部を分配すると同時に、前記第１の帯域部分の高周波数区間に向かって第１の信号部分のエネルギの別の一部を分配するように構成されている、
フィルタ装置。